【手続補正書】
【提出日】平成30年4月23日(2018.4.23)
【手続補正１】
【補正対象書類名】特許請求の範囲
【補正対象項目名】全文
【補正方法】変更
【補正の内容】
【特許請求の範囲】
【請求項１】
移動するユーザ機器(UE)に関連付けられる禁止時間を調整するための方法であって、
受信機を使用して前記移動するUEの動的特性を取得するステップであって、前記動的特性は、以下の動的特性、すなわち、全地球測位システム(GPS)測定値もしくはドップラー周波数から取得されるUE速度、前記移動するUEによって測定される受信信号強度指示(RSSI)もしくは品質指示の変化率、またはアクセスを試行するための第2のセルが専用のワイヤレスネットワークの一部であるという決定、のいずれかである、ステップと、
調整された禁止時間を得るために、前記動的特性に基づいて、前記移動するUEに関連付けられる前記禁止時間を調整するステップであって、前記禁止時間を調整することが、前記UE速度の関数を使用し、かつ、前記禁止時間と前記UE速度とは、以下の関数関係、すなわち、反比例、逆対数、または逆二次のうちの1つを有する、ステップと、
リソース管理プロトコルに前記調整された禁止時間を適用するステップと、
前記専用のワイヤレスネットワーク内の第1のセルにアクセスするために、前記調整された禁止時間に従って、前記専用のワイヤレスネットワーク内で前記リソース管理プロトコルを実行するステップであって、前記専用のワイヤレスネットワークは、マスタ情報ブロック(MIB)またはシステム情報ブロック(SIB)を受信するための前記移動するUEに対する最初のネットワークである、ステップと
を含む方法。
【請求項２】
前記専用のワイヤレスネットワークは、以下のネットワーク、すなわち、ロングタームエボリューション(LTE)ネットワーク、ユニバーサル移動体通信システム(UMTS)ネットワーク、符号分割多元接続(CDMA)ネットワーク、または、第2世代(2G)、第3世代(3G)、第4世代(4G)もしくは第5世代(5G)ネットワークのうちの1つ、のいずれかである、請求項1に記載の方法。
【請求項３】
前記調整された禁止時間はゼロ秒である、請求項1に記載の方法。
【請求項４】
前記リソース管理プロトコルは無線リソース制御(RRC)プロトコルである、請求項1に記載の方法。
【請求項５】
復号不能なシステム情報メッセージ、ランダムアクセス失敗エラー、ダウンリンク受信復号エラー、アップリンク送信エラー、受信エラーまたは前記第1のセルからのしきい値未満のサービス品質(QoS)のうちの1つまたは複数が前記移動するUEによって検出されたかどうかに基づいて、前記第1のセルへのアクセスが成功したか失敗したかを決定するステップをさらに含む、請求項1に記載の方法。
【請求項６】
前記復号不能なシステム情報メッセージは、復号不能なマスタ情報ブロック(MIB)または復号不能なシステム情報ブロック(SIB)のいずれかである、請求項5に記載の方法。
【請求項７】
前記専用のワイヤレスネットワークの第2のセルにまたは第3のセルに対して再取得試行を実施するステップをさらに含み、前記第3のセルは前記専用のワイヤレスネットワークの一部ではない、請求項5に記載の方法。
【請求項８】
前記再取得試行は前記調整された禁止時間だけ遅延される、請求項7に記載の方法。
【請求項９】
移動するユーザ機器(UE)に関連付けられる禁止時間を調整するための装置であって、
前記移動するUEの動的特性を取得するための受信機であって、前記動的特性は、以下の動的特性、すなわち、全地球測位システム(GPS)測定値もしくはドップラー周波数から取得されるUE速度、前記移動するUEによって測定される受信信号強度指示(RSSI)もしくは品質指示の変化率、またはアクセスを試行するための第2のセルが専用のワイヤレスネットワークの一部であるという決定、のいずれかである、受信機と、
前記受信機に結合された処理回路であって、
調整された禁止時間を得るために、前記動的特性に基づいて、前記移動するUEに関連付けられる前記禁止時間を調整することであって、前記禁止時間を調整することが、前記UE速度の関数を使用し、かつ、前記禁止時間と前記UE速度とは、以下の関数関係、すなわち、反比例、逆対数、または逆二次のうちの1つを有する、調整することと、
リソース管理プロトコルに前記調整された禁止時間を適用することと、
前記専用のワイヤレスネットワーク内の第1のセルにアクセスするために、前記調整された禁止時間に従って、前記専用のワイヤレスネットワーク内で前記リソース管理プロトコルを実行することであって、前記専用のワイヤレスネットワークは、マスタ情報ブロック(MIB)またはシステム情報ブロック(SIB)を受信するための前記移動するUEに対する最初のネットワークである、実行することと
を行うように構成された処理回路と、
前記処理回路に結合された記憶媒体であって、前記リソース管理プロトコルを実行するための複数のコードを記憶する記憶媒体と
を備える装置。
【請求項１０】
前記専用のワイヤレスネットワークは、以下のネットワーク、すなわち、ロングタームエボリューション(LTE)ネットワーク、ユニバーサル移動体通信システム(UMTS)ネットワーク、符号分割多元接続(CDMA)ネットワーク、または、第2世代(2G)、第3世代(3G)、第4世代(4G)もしくは第5世代(5G)ネットワークのうちの1つ、のいずれかである、請求項9に記載の装置。
【請求項１１】
前記GPS測定値から前記UE速度を取得するための全地球測位システム(GPS)受信機、
前記ドップラー周波数から前記UE速度を取得するための周波数トラッキングループ
のうちの1つまたは複数をさらに備える、請求項9に記載の装置。
【請求項１２】
前記調整された禁止時間はゼロ秒である、請求項9に記載の装置。
【請求項１３】
前記処理回路は、復号不能なシステム情報メッセージ、ランダムアクセス失敗エラー、ダウンリンク受信復号エラー、アップリンク送信エラー、受信エラーまたは前記第1のセルからのしきい値未満のサービス品質(QoS)のうちの1つまたは複数が前記移動するUEによって検出されたかどうかに基づいて、前記第1のセルへの前記アクセスが成功したか失敗したかを決定するようにさらに構成される、請求項9に記載の装置。
【請求項１４】
前記復号不能なシステム情報メッセージは、復号不能なマスタ情報ブロック(MIB)または復号不能なシステム情報ブロック(SIB)のいずれかである、請求項13に記載の装置。
【請求項１５】
前記処理回路は、前記専用のワイヤレスネットワークの第2のセルにまたは第3のセルに対して再取得試行を実施するようにさらに構成され、前記第3のセルは前記専用のワイヤレスネットワークの一部ではなく、前記再取得試行は前記調整された禁止時間だけ遅延される、請求項13に記載の装置。
【請求項１６】
移動するユーザ機器(UE)に関連付けられる禁止時間を調整するための装置であって、
前記移動するUEの動的特性を取得するための手段であって、前記動的特性は、以下の動的特性、すなわち、全地球測位システム(GPS)測定値もしくはドップラー周波数から取得されるUE速度、前記移動するUEによって測定される受信信号強度指示(RSSI)もしくは品質指示の変化率、またはアクセスを試行するための第2のセルが専用のワイヤレスネットワークの一部であるという決定、のいずれかである、手段と、
調整された禁止時間を得るために、前記動的特性に基づいて、前記移動するUEに関連付けられる前記禁止時間を調整するための手段であって、前記禁止時間を調整する手段が、前記UE速度の関数を使用し、かつ、前記禁止時間と前記UE速度とは、以下の関数関係、すなわち、反比例、逆対数、または逆二次のうちの1つを有する、手段と、
リソース管理プロトコルに前記調整された禁止時間を適用するための手段と、
前記専用のワイヤレスネットワーク内の第1のセルにアクセスするために、前記調整された禁止時間に従って、前記専用のワイヤレスネットワーク内で前記リソース管理プロトコルを実行するための手段であって、前記専用のワイヤレスネットワークは、マスタ情報ブロック(MIB)またはシステム情報ブロック(SIB)を受信するための前記移動するUEに対する最初のネットワークである、手段と
を備える装置。
【請求項１７】
前記調整された禁止時間はゼロ秒である、請求項16に記載の装置。
【請求項１８】
復号不能なシステム情報メッセージ、ランダムアクセス失敗エラー、ダウンリンク受信復号エラー、アップリンク送信エラー、受信エラーまたは前記第1のセルからのしきい値未満のサービス品質(QoS)のうちの1つまたは複数が前記移動するUEによって検出されたかどうかに基づいて、前記第1のセルへの前記アクセスが成功したか失敗したかを決定するための手段をさらに備える、請求項16に記載の装置。
【請求項１９】
前記専用のワイヤレスネットワークの第2のセルにまたは第3のセルに対して再取得試行を実施するための手段をさらに備え、前記第3のセルは前記専用のワイヤレスネットワークの一部ではなく、前記再取得試行は前記調整された禁止時間だけ遅延される、請求項18に記載の装置。
【請求項２０】
移動するユーザ機器(UE)上で動作可能なコンピュータ実行可能コードを記憶する非一時的コンピュータ可読記憶媒体であって、
少なくなくとも1つのプロセッサと、リソース管理プロトコルに関連付けられる複数のコードを記憶するためのメモリであって、前記少なくとも1つのプロセッサに結合されたメモリと、前記少なくとも1つのプロセッサに結合された受信機であって、前記移動するUEの動的特性を受信するように構成された受信機とを備え、
前記コンピュータ実行可能コードは、
調整された禁止時間を得るために、前記動的特性に基づいて、前記移動するUEに関連付けられる禁止時間を前記少なくとも1つのプロセッサに調整させるための命令であって、前記動的特性は、以下の動的特性、すなわち、全地球測位システム(GPS)測定値もしくはドップラー周波数から取得されるUE速度、前記移動するUEによって測定される受信信号強度指示(RSSI)もしくは品質指示の変化率、またはアクセスを試行するための第2のセルが専用のワイヤレスネットワークの一部であるという決定、のいずれかであり、前記少なくとも1つのプロセッサは、前記UE速度の関数を使用して、前記禁止時間を調整するように構成され、かつ、前記禁止時間と前記UE速度とは、以下の関数関係、すなわち、反比例、逆対数、または逆二次のうちの1つを有する、命令と、
前記リソース管理プロトコルに前記調整された禁止時間を前記少なくとも1つのプロセッサに適用させるための命令と、
前記専用のワイヤレスネットワーク内の第1のセルにアクセスするために、前記調整された禁止時間に従って、前記専用のワイヤレスネットワーク内で前記リソース管理プロトコルを前記少なくとも1つのプロセッサに実行させるための命令であって、前記専用のワイヤレスネットワークは、マスタ情報ブロック(MIB)またはシステム情報ブロック(SIB)を受信するための前記移動するUEに対する最初のネットワークである、命令と
を備える非一時的コンピュータ可読記憶媒体。
【請求項２１】
前記コンピュータ実行可能コードは、
復号不能なシステム情報メッセージ、ランダムアクセス失敗エラー、ダウンリンク受信復号エラー、アップリンク送信エラー、受信エラーまたは前記第1のセルからのしきい値未満のサービス品質(QoS)のうちの1つまたは複数が前記移動するUEによって検出されたかどうかに基づいて、前記第1のセルへの前記アクセスが成功したか失敗したかを前記少なくとも1つのプロセッサに決定させるための命令と、
前記専用のワイヤレスネットワークの第2のセルに対する、または第3のセルに対する、前記移動するUEによる再取得試行を前記少なくとも1つのプロセッサに実施させるための命令と
をさらに備え、前記第3のセルは前記専用のワイヤレスネットワークの一部ではなく、前記再取得試行は前記調整された禁止時間だけ遅延される、請求項20に記載の非一時的コンピュータ可読記憶媒体。
【請求項２２】
移動するユーザ機器(UE)に関連付けられる禁止時間を調整するための方法であって、
受信機を使用して前記移動するUEの動的特性を取得するステップであって、前記動的特性は、以下の動的特性、すなわち、全地球測位システム(GPS)測定値もしくはドップラー周波数から取得されるUE速度、前記移動するUEによって測定される受信信号強度指示(RSSI)もしくは品質指示の変化率、またはアクセスを試行するための第2のセルが専用のワイヤレスネットワークの一部であるという決定、のいずれかである、ステップと、
調整された禁止時間を得るために、前記動的特性に基づいて、前記移動するUEに関連付けられる前記禁止時間を調整するステップと、
リソース管理プロトコルに前記調整された禁止時間を適用するステップと、
前記専用のワイヤレスネットワーク内の第1のセルにアクセスするために、前記調整された禁止時間に従って、前記専用のワイヤレスネットワーク内で前記リソース管理プロトコルを実行するステップであって、前記専用のワイヤレスネットワークは、マスタ情報ブロック(MIB)またはシステム情報ブロック(SIB)を受信するための前記移動するUEに対する最初のネットワークである、ステップと
を含む方法。
【請求項２３】
移動するユーザ機器(UE)に関連付けられる禁止時間を調整するための装置であって、
前記移動するUEの動的特性を取得するための受信機であって、前記動的特性は、以下の動的特性、すなわち、全地球測位システム(GPS)測定値もしくはドップラー周波数から取得されるUE速度、前記移動するUEによって測定される受信信号強度指示(RSSI)もしくは品質指示の変化率、またはアクセスを試行するための第2のセルが専用のワイヤレスネットワークの一部であるという決定、のいずれかである、受信機と、
前記受信機に結合された処理回路であって、
調整された禁止時間を得るために、前記動的特性に基づいて、前記移動するUEに関連付けられる前記禁止時間を調整することと、
リソース管理プロトコルに前記調整された禁止時間を適用することと、
前記専用のワイヤレスネットワーク内の第1のセルにアクセスするために、前記調整された禁止時間に従って、前記専用のワイヤレスネットワーク内で前記リソース管理プロトコルを実行することであって、前記専用のワイヤレスネットワークは、マスタ情報ブロック(MIB)またはシステム情報ブロック(SIB)を受信するための前記移動するUEに対する最初のネットワークである、実行することと
を行うように構成された処理回路と、
前記処理回路に結合された記憶媒体であって、前記リソース管理プロトコルを実行するための複数のコードを記憶する記憶媒体と
を備える装置。